(57)【要約】【課題】発光ダイオードを用いて好適な光度及び色度で周囲に危険を周知することが可能な停止表示灯を提供する。【解決手段】本発明の停止表示灯装置は、筐体と、筐体の内部に配設されるもので、第１ＬＥＤ１０ａ群と第２ＬＥＤ１０ｂ群が配設された第１基板１０と、第３ＬＥＤ１１ａ群と第４ＬＥＤ１１ｂ群が配設された第２基板１１とを有する発光ユニットと、を備え、第１ＬＥＤ１０ａ群は第１基板１０の平面に対して９０度で配設され、第２ＬＥＤ１０ｂ群は第１基板１０の平面に対して６０度で配設され、第３ＬＥＤ１１ａ群は第２基板１１の平面に対して３０度で配設され、第４ＬＥＤ１１ｂ群は第２基板１１の平面に対して０度、つまり平行に配設されている停止表示灯装置である。【選択図】図４
2018152303.tif 000002
【特許請求の範囲】
【請求項１】
筐体と、
筐体の内部に配設されるもので、第１の発光ダイオード群と第２の発光ダイオード群が配設された第１基板と、第３の発光ダイオード群と第４の発光ダイオード群が配設された第２基板とを有する発光ユニットと、を備え、
前記第１の発光ダイオード群は前記第１基板の平面に対して第１の角度で配設され、前記第２の発光ダイオード群は前記第１基板の平面に対して前記第１の角度よりも小さい第２の角度で配設され、前記第３の発光ダイオード群は前記第２基板の平面に対して前記第２の角度よりも小さい第３の角度で配設され、前記第４の発光ダイオード群は前記第２基板の平面に対して前記第３の角度よりも小さい第４の角度で配設されている
停止表示灯装置。
【請求項２】
前記第１の角度は９０度、前記第２の角度は６０度、前記第３の角度は３０度、前記第４の角度は０度である
請求項１に記載の停止表示灯装置。
【請求項３】
前記第２基板は、前記第１基板と平行であって、前記第１基板から所定高さ隔てて配設されている
請求項１又は請求項２に記載の停止表示灯装置。
【請求項４】
前記筐体は紫色であり、色度は色度座標系（ｘ，ｙ）において次に示す範囲である
０．４９０≧ｘ≧０．４３０
ｙ≦０．４６７ｘ＋０．０４２
請求項１乃至請求項３のいずれか１項に記載の停止表示灯装置。
【請求項５】
筐体と、
電源部と、
筐体の内部に配設されるもので、第１の発光ダイオード群と第２の発光ダイオード群が配設された円形の第１基板と、前記第１基板の上に配設された前記電源部の上に配設されるもので第３の発光ダイオード群と第４の発光ダイオード群が配設された円形の第２基板とを有する発光ユニットと、を備え、
前記第２基板の直径は前記第１基板の直径よりも小さく、
前記第２基板は、前記第１基板と平行であって、前記電源部を介在させることで、前記第１基板から所定高さ隔てて配設されており、
前記第１の発光ダイオード群は前記第１基板の平面に対して第１の角度で配設され、前記第２の発光ダイオード群は前記第１基板の平面に対して前記第１の角度よりも小さい第２の角度で配設され、前記第３の発光ダイオード群は前記第２基板の平面に対して前記第２の角度よりも小さい第３の角度で配設され、前記第４の発光ダイオード群は前記第２基板の平面に対して前記第３の角度よりも小さい第４の角度で配設されており、
前記筐体は紫色であり、色度は色度座標系（ｘ，ｙ）において、次に示す範囲である
０．４９０≧ｘ≧０．４３０
ｙ≦０．４６７ｘ＋０．０４２
停止表示灯装置。
【発明の詳細な説明】
【技術分野】
【０００１】
本発明は、非常時等に発光させて後続車等に注意を喚起する停止表示灯装置に関する。
【背景技術】
【０００２】
従来、高速道路等の自動車専用道路を車輌が走行中に故障が生じた場合には、速やかに路肩で停止し、後続車両等の衝突等の危険回避の為、停止表示器材を設置することが道路交通法施行規則で義務付けられている。ここで、道路交通法によれば、「停止表示器材」には、三角停止表示板と停止表示灯装置とがある。三角停止表示板は三角形の赤色反射板を採用している。一方、停止表示灯装置は、紫色の点滅式であることが定められている。
【０００３】
そして、今日では、省電力で発光輝度の良好な発光ダイオード（ＬＥＤ；Light Emitted Diode）が多様な製品に採用されているが、停止表示灯装置にＬＥＤを採用すれば、従来技術に比して輝度や長時間にわたる灯火時間の確保が期待できる。
【０００４】
このような点に着目して、例えば、特許文献１では、発光室内にＬＥＤがＬＥＤ基板を介して組み込まれており、後半部のバッテリー室にスイッチ兼用のバッテリーキャップがねじ込み式で取り付けられており、ＬＥＤがバッテリーキャップを締め込むと電源回路がＯＦＦに制御されて消灯し、弛めるとＯＮに制御されて点灯を開始する非常灯が開示されている。
【先行技術文献】
【特許文献】
【０００５】
【特許文献１】実用新案登録第３１２４８３０号公報
【発明の概要】
【発明が解決しようとする課題】
【０００６】
しかしながら、例えば公益財団法人日本交通管理技術協会では、型式認定審査で用いる型式認定基準において、停止表示灯装置について、第１に、表示灯を試験電圧で点灯させたとき、最高光度点の光度が８００ｃｄ以上であること、第２に、表示灯の灯火の色は、紫色とし、その色度は次に示す範囲であること、
０．４９０≧ｘ≧０．４３０
ｙ≦０．４６７ｘ＋０．０４２
を定めているが、特許文献１に係る非常灯は、これに適合するものではなかった。
【０００７】
当該型式認定基準は、ＬＥＤを使用することを想定していないことから、光度については必ずしもＬＥＤにふさわしい基準ではないが、色度については、道路交通法令（道路交通法施行規則第１条ほか）の規程により、これを遵守することが望ましい。
【０００８】
本発明は、このような課題に鑑みてなされたものであり、その目的とするところは、発光ダイオードを用いて好適な光度及び色度で周囲に危険を周知することが可能な停止表示灯装置を提供することにある。
【課題を解決するための手段】
【０００９】
上記課題を解決するため、本発明の一態様に係る停止表示灯装置は、筐体と、筐体の内部に配設されるもので、第１の発光ダイオード群と第２の発光ダイオード群が配設された第１基板と、第３の発光ダイオード群と第４の発光ダイオード群が配設された第２基板とを有する発光ユニットと、を備え、前記第１の発光ダイオード群は前記第１基板の平面に対して第１の角度で配設され、前記第２の発光ダイオード群は前記第１基板の平面に対して前記第１の角度よりも小さい第２の角度で配設され、前記第３の発光ダイオード群は前記第２基板の平面に対して前記第２の角度よりも小さい第３の角度で配設され、前記第４の発光ダイオード群は前記第２基板の平面に対して前記第３の角度よりも小さい第４の角度で配設されている。
【００１０】
この態様において、前記第１の角度は９０度、前記第２の角度は６０度、前記第３の角度は３０度、前記第４の角度は０度であってよい。前記第２基板は、前記第１基板と平行であって、前記第１基板から所定高さ隔てて配設されていてよい。そして、前記筐体は紫色であり、色度は色度座標系（ｘ，ｙ）において次に示す範囲であってよい。
０．４９０≧ｘ≧０．４３０
ｙ≦０．４６７ｘ＋０．０４２
【００１１】
そして、本発明の他の態様に係る停止表示灯装置は、筐体と、電源部と、筐体の内部に配設されるもので、第１の発光ダイオード群と第２の発光ダイオード群が配設された円形の第１基板と、前記第１基板の上に配設された前記電源部の上に配設されるもので第３の発光ダイオード群と第４の発光ダイオード群が配設された円形の第２基板とを有する発光ユニットと、を備え、前記第２基板の直径は前記第１基板の直径よりも小さく、前記第２基板は、前記第１基板と平行であって、前記電源部を介在させることで、前記第１基板から所定高さ隔てて配設されており、前記第１の発光ダイオード群は前記第１基板の平面に対して第１の角度で配設され、前記第２の発光ダイオード群は前記第１基板の平面に対して前記第１の角度よりも小さい第２の角度で配設され、前記第３の発光ダイオード群は前記第２基板の平面に対して前記第２の角度よりも小さい第３の角度で配設され、前記第４の発光ダイオード群は前記第２基板の平面に対して前記第３の角度よりも小さい第４の角度で配設されており、前記筐体は紫色であり、色度は色度座標系（ｘ，ｙ）において、次に示す範囲である。
０．４９０≧ｘ≧０．４３０
ｙ≦０．４６７ｘ＋０．０４２
【発明の効果】
【００１２】
本発明によれば、発光ダイオードを用いて好適な光度及び色度で周囲に危険を周知することが可能な停止表示灯装置を提供することができる。
【図面の簡単な説明】
【００１３】
【図１】本発明の一実施形態に係る停止表示灯装置の構成図である。
【図２】本発明の一実施形態に係る停止表示灯装置の構成図である。
【図３】同停止表示灯装置の分解斜視図である。
【図４】同停止表示灯装置の発光ユニットの詳細な構成図である。
【図５】同停止表示灯装置の光度及び色度分布を示す図である。
【発明を実施するための形態】
【００１４】
以下、図面を参照しつつ本発明の一実施形態について説明する。
【００１５】
図１及び図２には、本発明の一実施形態に係る停止表示灯装置の構成を示し説明する。
【００１６】
より詳細には、図１（ａ）には、同停止表示装置の平面図を示し、図１（ｂ）には、同停止表示装置の側面図を示し、図２には、同停止表示装置の斜視図を示し、説明する。
【００１７】
図１及び図２に示されるように、停止表示装置１は、上部筐体２と下部筐体３とを有している。上部筐体２は、中空で略円筒形状の第１上部筐体２ａと該第１上部筐体２ａに連続した略ドーム形状の第２上部筐体２ｂとで構成されている。更に、厳密には、第２上部筐体２ｂは、下方から上方にいく過程でドームに係る曲率が変更される２箇所の境界２ｃを有している。下部筐体３は、中空で底面を有する略円筒形状となっている。
【００１８】
前述したように、第１上部筐体２ａと第２上部筐体２ｂは一体成型されているので、連続しているが、上部筐体２全体の強度を更に補強するために、第１上部筐体２ａから第２上部筐体２ｂに切り換わる境界に複数の補強部材４が設けられている。この補強部材４も上部筐体２の一部として一体成型されている。
【００１９】
第１上部筐体２ａの上面には、停止表示装置１の表示をオン／オフ制御するためのスイッチ部６が設けられている。さらに、詳細は後述するが、装置内部の電源部を充電するための充電部５が第１上部筐体２ａの側面に設けられている。より詳細には、この充電部５は、充電ソケット５ａと非充電時に当該充電ソケット５ａに蓋をするためのカバー部材５ｂとで構成されており、カバー部材５ｂの先端を充電ソケット５ａに装着することで、非充電時に防水等の機能をもたせることができる。
【００２０】
次に図３の分解斜視図を参照して、本実施形態に係る停止表示装置１の内部構成について詳細に説明する。
【００２１】
同図に示されるように、発光ユニットとして機能する第２基板１１は、ネジ２により電源部１３に固定される。電源部１３は、第２基板１１が固定された状態で、ネジ１２により上部筐体２に固定される。電源部１３には、充電部５の充電ソケット５ａが電気的に接続されている。スイッチ部６は、スイッチ基板１５とスイッチカバー１６とからなり、ネジ１４により上部筐体２に固定される。このスイッチ基板１５は、電源部１３と電気的に接続されている。発光ユニットとして機能する第１基板１０は、ネジ１７により上部筐体２に固定される。第１基板１０の底面には、電源部１３を構造的に保持するための保持部材１９が配設される。そして、防水のために、Ｏリング１８を介して、上部筐体２に下部筐体３が嵌合されて両者が結合される。
【００２２】
下部筐体３の底面には、開口部が設けられており、当該開口部の一方には、磁石収納部２１に磁石２０が収納されて装着される。一方、他の開口部には、固定部材２２が収納され装着される。この固定部材２２は、磁石収納部２１が左右に揺れ動かないように位置決めするためのものである。以上のほか、下部筐体３の底面には、ラバー脚部２０が装着されている。このラバー脚部２０は、装置１を地面等に置いた際に、設置状態を良好な状態に維持するためのものである。
【００２３】
以上の構成によれば、第１基板１０の上に、電源部１３の高さを隔てて当該第１基板よりも直径の小さい第２基板１１が配置されることになる。第１基板１０の中心と第２基板１１の中心とは同軸上となるように位置付けされる。詳細は後述するが、いずれの基板１０，１１においても、ＬＥＤが外周縁部近傍に外向けに発光するような位置関係で配設されるが、第１基板１０と第２基板１１の直径の違いより、それぞれのＬＥＤが他のＬＥＤの発光を妨げないような位置関係で配設されている。
【００２４】
図４には、停止表示灯装置の発光ユニットの詳細な構成を示し説明する。より詳細には図４（ａ）は第１基板１０の詳細な構成を示しており、図４（ｂ）は第２基板１１の詳細な構成を示している。
【００２５】
図４（ｂ）に示されるように、第１基板１０は、円形の実装面１０ｃを有しており、当該実装面１０ｃには、円形の円の接線に対して垂直な方向に外向きであって実装面１０ｃに対して高さ方向に垂直となる位置関係で第１ＬＥＤ１０ａが実装され、円形の円の接線に対して垂直な方向に外向きであって実装面１０ｃに対して高さ方向に６０度傾斜された位置関係で第２ＬＥＤ１０ｂが実装されている。この第１ＬＥＤ１０ａと第２ＬＥＤ１０ｂとは交互に所定間隔をあけて複数配置設置されている。この例では、第１ＬＥＤ１０ａは８個、第２ＬＥＤ１０ｂは８個となっているが、これには限定されない。
【００２６】
図４（ａ）に示されるように、第２基板１１は、円形の実装面１１ｃを有しており、当該実装面１１ｃには、円形の円の接線に対して垂直な方向に外向きであって実装面１１ｃと平行な位置関係で第３ＬＥＤ１１ａが実装され、円形の円の接線に対して垂直な方向に外向きであって実装面１１ｃに対して高さ方向に３０度傾斜された位置関係で第４ＬＥＤ１１ｂが実装されている。この第３ＬＥＤ１１ａと第４ＬＥＤ１１ｂとは交互に所定間隔をあけて複数配置設置されている。この例では、第３ＬＥＤ１１ａは８個、第４ＬＥＤ１１ｂは８個となっているが、これには限定されない。
【００２７】
このような構成の第１基板１０の上に、電源部１３を介して第２基板１１が配設されることから、発光ユニットは、第１基板１０の上に所定間隔を隔てて第２基板１１が積層された構成となる。これにより、４種類の第１ＬＥＤ乃至第４ＬＥＤの発光方向が、実装面に対して高さ方向に０度から９０度までの傾斜角且つ外向きとなり、停止表示灯装置１の側方から上方までを幅広く均一に発光することが可能となる。これは、多様な方向に対して、故障等により停車していることを示唆できることを意味する。
【００２８】
図５には、停止表示灯装置の色度分布を示し説明する。
【００２９】
公益財団法人日本交通管理技術協会では、型式認定審査で用いる型式認定基準において停止表示灯について、１）表示灯を試験電圧で点灯させたとき、最高光度点の光度が８００ｃｄ以上であること、２）表示灯の灯火の色は、紫色とし、その色度は色度座標系（ｘ，ｙ）において、次に示す範囲であること、
０．４９０≧ｘ≧０．４３０
ｙ≦０．４６７ｘ＋０．０４２
を定めているが、本実施形態に係る停止表示灯装置１の図５の色度分布によれば、
ｘ＝０．４６４８
ｙ＝０．２６７６
となり、同基準に適合している。表示灯の色は紫色となる。
【００３０】
以上説明したように、本発明の実施形態によれば以下の効果が奏される。
【００３１】
（１）本実施形態によれば、筐体２，３と、筐体２，３の内部に配設されるもので、第１ＬＥＤ１０ａ群と第２ＬＥＤ１０ｂ群が配設された第１基板１０と、第３ＬＥＤ１１ａ群と第４ＬＥＤ１１ｂ群が配設された第２基板１１とを有する発光ユニットとを備え、第１ＬＥＤ１０ａ群は１基板１０の平面に対して第１の角度で配設され、第２ＬＥＤ１０ｂ群は第１基板１０の平面に対して第１の角度よりも小さい第２の角度で配設され、第３ＬＥＤ１１ａ群は第２基板１１の平面に対して第２の角度よりも小さい第３の角度で配設され、第４ＬＥＤ１１ｂ群は第２基板１１の平面に対して第３の角度よりも小さい第４の角度で配設されている停止表示灯装置が提供される。従って、側方から上方にわたり幅広い照射範囲を照射することが可能となるので、後続車等がどのような角度に位置していても注意を喚起することが可能となる。
【００３２】
ここで、第１の角度は９０度、第２の角度は６０度、第３の角度は３０度、第４の角度は０度であってよい。この場合、筐体２の側方から上方にわたり、０度、つまり平行方向から９０度、つまり垂直方向まで、幅広い範囲を照射することが可能となる。
【００３３】
また、第２基板１１は、第１基板１０と平行であって、第１基板１０から所定高さ隔てて配設されてもよい。この場合、高さ方向に照射範囲を広げることも可能となる。
【００３４】
また、筐体３は紫色であり、色度は色度座標系（ｘ，ｙ）において次に示す範囲である。
０．４９０≧ｘ≧０．４３０
ｙ≦０．４６７ｘ＋０．０４２
従って、公益財団法人日本交通管理技術協会では、型式認定審査で用いる型式認定基準を色度において満たすことが可能となる。
【００３５】
（２）本発明の実施形態によれば、筐体２，３と、電源部１３と、筐体２，３の内部に配設されるもので、第１ＬＥＤ１０ａ群と第２ＬＥＤ１０ｂ群が配設された円形の第１基板１０と、第１基板１０の上に配設された電源部１３の上に配設されるもので第３ＬＥＤ１１ａ群と第４ＬＥＤ１１ｂ群が配設された円形の第２基板１１とを有する発光ユニットと、を備え、第２基板１１の直径は第１基板１０の直径よりも小さく、第２基板１１は第１基板１０と平行であって、電源部１３を介在させることで、第１基板１０から所定高さ隔てて配設されており、前記第１ＬＥＤ１０ａ群は第１基板１０の平面に対して第１の角度で配設され、第２ＬＥＤ１０ｂ群は第１基板１０の平面に対して第１の角度よりも小さい第２の角度で配設され、第３ＬＥＤ１１ａ群は第２基板１１の平面に対して第２の角度よりも小さい第３の角度で配設され、第４ＬＥＤ１１ｂ群は第２基板１１の平面に対して第３の角度よりも小さい第４の角度で配設されており、筐体２，３は紫色であり、色度は色度座標系（ｘ，ｙ）において、次に示す範囲である
０．４９０≧ｘ≧０．４３０
ｙ≦０．４６７ｘ＋０．０４２
停止表示灯装置が提供される。従って、側方から上方にわたり幅広い照射範囲を照射することが可能となるので、後続車等がどのような角度に位置していても注意を喚起することが可能となる。しかも、公益財団法人日本交通管理技術協会では、型式認定審査で用いる型式認定基準を色度において満たすことが可能となる。
【００３６】
以上、本発明の一実施形態について説明したが、本発明はこれに限定されることなくその趣旨を逸脱しない範囲で種々の改良・変更が可能であることは勿論である。
【００３７】
例えば、筐体の形状は前述したものに限定されるものではなく、種々の形状とすることが可能である。更に、前述した実施形態では、発光ユニットを２つの基板による２段構成としたが、これに限定される多段構成としてもよい。
【符号の説明】
【００３８】
１…停止表示装置、２…上部筐体、２ａ…第１上部筐体、２ｂ…第２上部筐体、２ｃ…境界、３…下部筐体、４…補強部材、５…充電部、５ａ…充電ソケット、５ｂ…カバー部材、６…スイッチ部、１０…第１基板、１０ａ…第１ＬＥＤ、１０ｂ…第２ＬＥＤ、１０ｃ…実装面、１１…第２基板、１１ａ…第３ＬＥＤ、１１ｂ…第４ＬＥＤ、１１ｃ…実装面、１２…ネジ、１３…電源部、１４…ネジ、１５…スイッチ基板、１６…スイッチカバー、１７…ネジ、１８…Ｏリング、１９…固定部材、２０…ラバー脚部、２１…磁石収納部、２２…固定部材、２３…磁石、２４…ネジ。
【図１】
2018152303.tif 000003
【図２】
2018152303.tif 000004
【図３】
2018152303.tif 000005
【図４】
2018152303.tif 000006
【図５】
2018152303.tif 000007